(57)【要約】【課題】同じ種類の化粧材を隣接して複数配列して用いる化粧材において、従来とは異なるデザインを形成することができる化粧材を提供する。【解決手段】複数のブロック状の個別領域が２次元的に配列された化粧材であって、化粧材の幅と同じ長さを有し、表面に模様及び／又は色彩が表現されている個別領域である第一の領域と、化粧材の幅よりも短い個別領域であるとともに、複数の化粧材をステップ貼り配列としたときに、第一の領域に連結して１つの模様及び／又は色彩が表現される連結領域を形成する第二の領域と、を有する。【選択図】図２
2019173410.tif 000002
【特許請求の範囲】
【請求項１】
複数のブロック状の個別領域が２次元的に配列された化粧材であって、
前記化粧材の幅と同じ長さを有し、表面に模様及び／又は色彩が表現されている前記個別領域である第一の領域と、
前記化粧材の幅よりも短い前記個別領域であるとともに、複数の前記化粧材をステップ貼り配列としたときに、前記第一の領域に連結して１つの模様及び／又は色彩が表現される連結領域を形成する第二の領域と、を有する、化粧材。
【請求項２】
請求項１に記載の化粧材がステップ貼り配列により配列された建物内における空間内面構造。
【発明の詳細な説明】
【技術分野】
【０００１】
本発明は化粧材、及び、該化粧材が配列されてなる空間内面構造に関する。
【背景技術】
【０００２】
住宅、事務所、店舗等の建築物の内面を構成する壁、床、天井などの空間の内面、或いは建築物の外壁、屋根、軒下、塀等を構成する外面に用いられ、該内面或いは外面を装飾する化粧材が知られている。この化粧材では、様々な種類に亘って化粧材の表面に付される模様や色彩が準備されており、利用者の好みに応じて模様や色彩を選択することができる。
【０００３】
このような化粧材は、例えば建築物内面の壁面を装飾する壁紙等の化粧材の場合、通常は概ね９２０ｍｍの幅、及び概ね１２００ｍｍの長さを有する帯状に形成されている。そして空間を形成する内面に、複数の化粧材を幅方向及び長さ方向に２次元的に配列することにより、当該内面を装飾する。従って、隣り合う化粧材に同じもの用いた場合には、模様は図９に模式的に示したように化粧材１００が配置されたピッチで繰り返される。ここで、図９にはわかり易さのため該化粧材の観察者から見て右方向（幅方向乃至水平方向とも呼称する。）に隣り合う２つの化粧材１００に注目して表したが、実際には化粧材１００が紙面上下左右方向に多数配列されている（図１０についても同じ。）。
【０００４】
化粧材の中には、非特許文献１や、図９に模式的に示したように、木目調や石目調等の所定の模様や色彩が表現された横長のブロック状の個別領域１０１が縦横に並べられたような態様（以下に「ブロックデザイン」と記載することがある。）であるとともに、各個別領域１０１では異なる複数の模様（図９の例では模様１０１ａ、模様１０１ｂ、模様１０１ｃ、模様１０１ｄの４種類）が付されている化粧材１００がある。
このような化粧材１００では、該化粧材１００を１単位として縦横に並べることで、同じピッチ、即ち繰り返し単位となる化粧材１００の幅ＷＫによる繰り返しが認識され、特に幅方向（短い側の辺となる方向、図９では左右方向）に単調な印象を与えてしまうことがある。
【０００５】
これに対して例えば、単調な印象を回避するために図１０に示したように幅方向に隣り合う化粧材１００について、その長さ方向（長い側の辺となる方向）にずらして配列することも行われている（「ステップ貼り配列」と呼ばれることがある。）。
【先行技術文献】
【非特許文献】
【０００６】
【非特許文献１】株式会社サンゲツ、壁紙見本帳「２０１７−２０１９  ファイン１０００」、平成２９年５月１１日、７５ページ（ＦＥ−１２６６、ＦＥ−１２６７）
【発明の概要】
【発明が解決しようとする課題】
【０００７】
近年ではさらなる利用者の嗜好の多様化により、空間内面のデザインの選択肢を増やすことが望まれている。一方で、隣り合う化粧材同士を異なる種類のものにすれば、空間内面全体としてのデザインの多様化は容易である。しかしながら、その場合にはそのために複数種類の化粧材を準備する必要があるため、コストが嵩んでしまう。従って、隣り合う化粧材同士は同じ種類のものを用いることが好ましい。
【０００８】
そこで本発明は、同じ種類の化粧材を隣接して複数配列して用いる化粧材において、従来とは異なるデザインを形成することができる化粧材を提供することを課題とする。また、この化粧材を用いた空間内面構造を提供する。
【課題を解決するための手段】
【０００９】
発明者は鋭意検討の結果、次のような着想を得て本発明を完成させた。
従来では、ブロックデザインの場合において、同じ種類の化粧材１００を隣接して複数配列して用いる化粧材では、図９に示したある１つの個別領域Ａにおける化粧材幅方向の長さ（個別領域長さ）ＷＡは、化粧材の幅ＷＫを超えることがなかった。また、図１０にＣで示したように隣り合う化粧材１００を並べたときに、隣り合う個別領域が連結することで１つの連続した模様及び／又は色彩が形成され、これにより１つの領域を形成するような連結領域Ｃを考えても、従来では当該連結領域の化粧材幅方向の長さ（連結領域長さ）ＷＣは化粧材の幅ＷＫを超えることはなかった。
発明者はこのような構成によってブロックデザインのバリエーションに限界が生じているとの考えに至った。そしてこれに対して、連結領域の化粧材幅方向長さ（連結領域長さ）が化粧材の幅よりも大きくなるような個別領域を具備するブロックデザインの化粧材とすることで、ブロックデザインのバリエーションを増やすことができるとの着想を得て、これを具体化することにより本発明を完成させた。以下、本発明について説明する。
【００１０】
本発明の１つの態様は、複数のブロック状の個別領域が２次元的に配列された化粧材であって、化粧材の幅と同じ長さを有し、表面に模様及び／又は色彩が表現されている個別領域である第一の領域と、化粧材の幅よりも短い個別領域であるとともに、複数の化粧材をステップ貼り配列としたときに、第一の領域に連結して１つの模様及び／又は色彩が表現される連結領域を形成する第二の領域と、を有する、化粧材である。
【００１１】
また、上記の化粧材がステップ貼り配列により配列された建物内における空間内面構造を提供することができる。
【発明の効果】
【００１２】
本発明の化粧材によれば、同じ種類の化粧材を隣接して複数配列して用いる化粧材において、連結領域長さが化粧材の幅を超える模様及び／又は色彩を含む従来とは異なるデザインを形成することができる。
【図面の簡単な説明】
【００１３】
【図１】図１は化粧材１０による空間内面構造１を表した図である。
【図２】図２は図１の一部に注目して表した図である。
【図３】図３は化粧材１０を表した図である。
【図４】図４は化粧材１０を製造するための型を説明する図である。
【図５】図５は化粧材１２を表した図である。
【図６】図６は化粧材１２による空間内面構造の一部に注目して表した図である。
【図７】図７は化粧材１４を表した図である。
【図８】図８は化粧材１４による空間内面構造の一部に注目して表した図である。
【図９】図９は従来の化粧材について説明する図である。
【図１０】図１０は従来の化粧材の他の例について説明する図である。
【発明を実施するための形態】
【００１４】
以下、本発明を図面に示す形態に基づき説明する。ただし、本発明はこれら形態に限定されるものではない。なお、以下に示す図面では分かりやすさのため部材の大きさや比率を変更または誇張して記載することがある。また、見やすさのため説明上不要な部分の図示や繰り返しとなる符号は省略することがある。
【００１５】
図１は１つの形態を説明する図であり、複数の化粧材１０が配列された空間内面構造１の一部を表している。ここで空間内面構造は、建物の壁、床、天井等のような、空間を形成する内表面における構造を意味している。本形態ではその中でも建物の壁の例である。従って、本形態では図１に併せて示した方向を示す矢印はｘが水平方向、ｙが鉛直方向、ｚが壁厚方向をそれぞれ表している。なお、図１では分かりやすさのため、化粧材１０の境界となる部分を太線で表しているが、実際には化粧材１０の境界は目立つようには構成されていない。
【００１６】
図１からわかるように、本形態で化粧材１０はシート状の部材であり、複数の化粧材１０が水平方向（ｘ方向）及び鉛直方向（ｙ方向）に配列されている。このとき矩形の化粧材１０のうち短い辺（化粧材の幅方向の辺）が水平方向に並び、長い辺（化粧材の長さ方向の辺）が鉛直方向に並ぶようにされている。また、短い辺が並ぶ方向（水平方向）に隣り合う化粧材１０では長い辺方向（鉛直方向）に該長い辺の長さの半分ずらされて配置され、いわゆるステップ貼り配列とされている。
【００１７】
図２には、図１のうち鉛直方向に並ぶ２つの化粧材１０及び、これら化粧材１０に対して水平方向に並ぶ１つの化粧材１０に注目した図を表した。また、図３には１つの化粧材１０に注目した図を表した。
図１〜図３よりわかるように、化粧材１０は、木目調や石目調等の所定の模様、色彩が表現された矩形の複数のブロック状の個別領域１１が２次元的に並べられたようなブロックデザインを具備している。
【００１８】
各個別領域１１は、化粧材１０の短い辺の方向（化粧材幅方向）を個別領域の長さ方向とし、化粧材１０の長い辺の方向（化粧材長さ方向）を個別領域の幅方向とするブロック状のデザインとされている。本形態では複数の個別領域における個別領域の幅は同じとされ、個別領域長さはそれぞれ異なっているもの、及び同じものが含まれている。
また、本形態では、各個別領域１１には５種類の模様１１ａ、１１ｂ、１１ｃ、１１ｄ、１１ｅのうちいずれかが付されている。
【００１９】
そしてさらに、この化粧材１０を配列することにより空間内面構造１とすることで、図２に太枠で囲ったＩＩａ、ＩＩｂ、ＩＩｃのように、隣り合う化粧材１０を並べたときに、隣り合う２つの個別領域１１によって１つの連続した模様及び／又は色彩が形成され、これにより１つの領域を形成するような連結領域ＩＩａ、ＩＩｂ、ＩＩｃを考える。すると本形態の化粧材１０によれば、連結領域ＩＩｃを例にすると、連結領域ＩＩｃの長さ（化粧材幅方向の長さ）ＷＩＩｃの方が化粧材幅Ｗ１０よりも大きくなる。連結領域ＩＩａ、及び連結領域ＩＩｂも同様にその連結領域の長さが化粧材幅より大きくなるように構成されている。
これにより、同じ種類の化粧材１０を隣接して複数配列して用いる化粧材１０において、従来とは異なる意匠外観を呈するデザインを形成することができる。
【００２０】
このような連結領域を形成するために化粧材１０は次のような構成を備えている。すなわち、図３にＩＩＩａ、ＩＶａで示したように化粧材１０は、１つの個別領域１１の長さが化粧材幅Ｗ１０と同じとなる個別領域である第一の領域を有している。さらに化粧材１０は、複数の化粧材１０をステップ貼り配列したときに、ＩＩＩｂ、ＩＶｂで示したようにＩＩＩａ、ＩＶａの個別領域１１に連結する個別領域である第二の領域を具備する。この第二の領域の領域長さ（例えば図３のＷＩＩＩｂ）は化粧材幅Ｗ１０よりも小さく形成されている。
そしてこの第一の領域と第二の領域とは付されている模様及び／又は色彩により連結領域を形成するように構成されている。そして個別領域ＩＩＩａと個別領域ＩＩＩｂとで構成される連結領域及び個別領域ＩＶａと個別領域ＩＶｂとで構成される連結領域の内部に付される模樣及び／又は色彩は当該連結領域内で連続したものとなっている。
【００２１】
以上のような構成を備える化粧材１０により、これをステップ貼り配列とすることで連結領域の長さ（例えばＷＩＩＣ）が化粧材幅Ｗ１０より大きくなる（即ち、ＷＩＩＣ＞Ｗ１０となる）部位を含むブロックデザインを提供することができる。そして、同じ種類の化粧材を隣接して複数配列して用いる化粧材において、従来とは異なる意匠外観のデザインを形成することが可能である。
【００２２】
化粧材を構成する基材の材料は従来公知の化粧材と同様の機能を有するものであればよいので、その材料は特に限定されない。樹脂、紙、織布または不織布、金属、非金属無機材料、木材或いはこれらの積層体や複合体を用いることができる。
例えば、樹脂の場合は、ポリエチレン、ポリプロピレン、オレフィン系熱可塑性エラストマー、アイオノマー等のポリオレフィン系樹脂、ポリメチルメタクリレート、ポリブチルメタクリレート等のアクリル樹脂、ポリエチレンテレフタレート、ポリブチレンテレフタレート等の熱可塑性ポリエステル樹脂、熱可塑性ウレタン樹脂、塩化ビニル樹脂、ＡＢＳ樹脂（アクリロニトリル−ブタジエン−スチレン共重合体）、スチレン樹脂等の熱可塑性樹脂、メラミン樹脂、不飽和ポリエステル樹脂、２液硬化型ウレタン樹脂等の熱硬化性樹脂、或いは、ラジカル重合型のアクリレート系やカチオン重合型のエポキシ系等の単量体やプレポリマーで電離放射線（紫外線、電子線等）で硬化する電離放射線硬化性樹脂等が用いられる。なお、これら樹脂を公知の着色剤で着色しても良い。
紙としては、上質紙、薄葉紙、クラフト紙、リンター紙、チタン紙、硫酸紙、グラシン紙、パーチメント紙等を用いることができる。
織布または不織布としては、ポリエステル樹脂、ポリアミド樹脂、アクリル樹脂等の合成樹脂繊維、絹、木綿、麻等の天然繊維、硝子等の無機繊維等の繊維からなるものを用いることができる。
金属としては、鉄、銅、錫、アルミニウム、チタニウム、或いはこれらの金属を含む合金を用いることができる。
非金属無機材料としては、セメント、珪酸カルシウム、石膏、陶磁器等を用いることができる。
木材としては、杉、檜、松、樫、ラワン、チーク等の樹木からなる単板、合板、集成材、パーチクルボード、繊維板等を用いることができる。
【００２３】
また、化粧材の厚さも特に制限は無いが、シート状又はフィルム状の場合は例えば、厚さ２０μｍ以上１０００μｍ以下程度、板状の場合は例えば、１ｍｍ以上２０ｍｍ以下程度のものが使用できる。
【００２４】
以上のような化粧材の製造方法は特に限定されることはなく、例えば通常のグラビア印刷の手法を用いて次のように製造することができる。
【００２５】
初めに、上記した連結領域を含むように、具体的には、図１の如く、想定する化粧材１０の寸法（図１においては太線で囲まれた長方形の寸法）に対して、幅方向で２倍以上且つ長さ方向で１倍以上の寸法の矩形領域を用意する（図１の例では幅方向及び長さ方向とも想定化粧材寸法の３倍の領域を用意する。）。
【００２６】
次いで、かかる矩形領域内において、想定する化粧材の幅Ｗ１０の１倍を超過し且つ２倍以下（好ましくは２倍未満）の寸法の長さを有する連結領域（例えば、図２の長さＷＩＩＣ＞Ｗ１０となる連結領域ＩＩｃ）を幅方向（ｘ方向）に隣接する２つの想定化粧材領域１０、１０間に跨るよう１つ以上配置する。加えて、図１に示す如く、その他の所望の寸法を有する個別領域１１を、その幅方向及び長さ方向が想定化粧材の長さ方向及び幅方向と平行になり、且つその幅が想定化粧材の長さ未満でその長さが想定化粧材の幅未満となるように、例えば図１の如く該矩形領域に配置する。
【００２７】
その際に、図１の如く、該矩形領域内に於いて、各個別領域１１は想定化粧材１０の長さ方向（図１では上下方向）に想定化粧材の長さの周期で同一の個別領域が繰返し、又該矩形領域内において各個別領域１１は想定化粧材１０の幅方向に（図１では左右方向）おいても想定化粧材の幅の周期で同一の個別領域が繰返すように配置する。
このようにして、図１の如く該矩形領域を複数の個別領域で区画する。
【００２８】
次いで、かかる矩形領域を図１の太線で表示するような想定化粧材１０の寸法に分割し、其の分割した１つの画像を本発明の化粧材のブロックデザインのパターンを印刷する版の画像とする。
【００２９】
次に、この画像データを図４に示したロール状のグラビア印刷用の版２０の表面に形成する。従って本例によれば、版２０のロール長Ｌ２０が化粧材幅Ｗ１０となり、版２０の外周の周方向における周囲長が化粧材長さとなる。
そしてこの版２０を用いて所望のグラビア印刷をすることによって化粧材１０を得る。グラビア印刷の製版及び印刷の方法乃至製造加工条件については、公知の各種方法、製造加工条件を適宜選択し適用すれば良い。
又、印刷方法については、グラビア印刷の他、シルクスクリーン印刷、オフセット印刷、凸版（活版）印刷、インキジェット印刷等の各種印刷方法を適用することもできる。
【００３０】
図５、図６には他の形態にかかる化粧材１２について表した。図５は１つの化粧材１２、図６には複数の化粧材１２がステップ貼り配列されたことを示す図で、図２に相当する図を表した。
化粧材１２の例では、複数の個別領域１３が複数の濃淡模様によりブロックデザインが形成されており、図５にＶａで示したように１つの個別領域１３の長さが化粧材幅と同じとなる第一の領域を有している。さらに化粧材１２には、複数の化粧材１２をステップ貼り配列したときに、Ｖｂで示したようにＶａの第一の領域に連結して連結領域を形成する個別領域である第二の領域を具備する。
そしてこれにより、化粧材１２がステップ貼り配列されたときに図６にＶＩで示したように、化粧材１２の幅よりも長い連結領域を形成することができる。従ってこのような化粧材１２でもこれをステップ貼り配列とすることで連結領域の長さが化粧材幅より大きくなる部位を含むブロックデザインを提供することができる。そして、同じ種類の化粧材を隣接して複数配列して用いる化粧材において、従来とは異なる意匠外観デザインを形成することが可能である。
【００３１】
図７、図８には他の形態にかかる化粧材１４について表した。図７は１つの化粧材１４、図８には複数の化粧材１４がステップ貼り配列されたことを示す図で、図２に相当する図を表した。
化粧材１４の例では、複数の個別領域１５が複数の木目調模様によりブロックデザインが形成されており、図７にＶＩＩａ、ＶＩＩｂで示したように１つの個別領域１５の長さが化粧材幅と同じとなる第一の領域を有している。さらに化粧材１４には、複数の化粧材１４をステップ貼り配列したときに、ＶＩＩｃ、ＶＩＩｄで示したようにＶＩＩａの第一の領域に連結して連結領域を形成する個別領域である第二の領域（ＶＩＩｃ）、及びＶＩＩｂの第一の領域に連結して連結領域を形成する個別領域である第二の領域（ＶＩＩｄ）を具備する。
そしてこれにより図８にＶＩＩＩで示したように、化粧材１４の幅よりも長い連結領域を形成することができる。従ってこのような化粧材１４でもこれをステップ貼り配列とすることで連結領域の長さが化粧材幅より大きくなる部位を含むブロックデザインを提供することができる。そして、同じ種類の化粧材を隣接して複数配列して用いる化粧材において、従来とは異なる意匠外観のデザインを形成することが可能である。
【００３２】
なお、本発明においては、以上に示した形態の他、以下のような形態とする事もできる。
各個別領域１１、１３、１５内に配置される模樣として、前記の如き印刷法により形成された模様及び／又は色彩に換えて、公知の各種エンボス加工方法により形成した凹凸模様（凹凸形状で意匠外観を表現するもの）を採用することができる。凹凸模様としては、木材板表面の導管溝、年輪の隆起による凹凸（所謂浮造り調年輪凹凸模様）等の木目凹凸模様、花崗岩等の結晶質石材表面の劈開面構造、トラバーチン大理石板表面の凹陥分部等の石目凹凸模様、セメント、石膏、壁土等の左官可能時に表面に生成される鏝痕模様、織布または不織布の繊維状凹凸模様（所謂テクスチュア）、皮革表面の皮シボ凹凸模様、万線、ヘアライン等の線條凹凸模様等を用いることができる。
又、印刷等による模様及び／又は色彩とエンボス加工等による凹凸模様との組合せとすることもできる。
【００３３】
以上説明した化粧材の用途は例えば、上記したような壁、床、天井等の建築物の内装材として空間内面構造を形成する他、建築物の外壁、屋根、門扉、塀、柵等の外裝材として外面構造、扉、窓枠、扉、扉枠等の建具、廻り縁、幅木、手摺等の造作部材の表面材、テレビ受像機、冷蔵庫等の家電製品や複写機等の事務機器の筐体の表面材、箪笥等の家具の表面材、箱、樹脂瓶等の容器の表面材、車両等の内装材又は外裝材、船舶の内装材又は外裝材等として用いることもできる。
【符号の説明】
【００３４】
１０、１２、１４  化粧材
１１、１３、１５  個別領域
【図１】
2019173410.tif 000003
【図２】
2019173410.tif 000004
【図３】
2019173410.tif 000005
【図４】
2019173410.tif 000006
【図５】
2019173410.tif 000007
【図６】
2019173410.tif 000008
【図７】
2019173410.tif 000009
【図８】
2019173410.tif 000010
【図９】
2019173410.tif 000011
【図１０】
2019173410.tif 000012